(57)【要約】【課題】待機時の消費電力を低減することができる電子機器を提供することを課題とする。【解決手段】第１のバッテリの電圧を変換する電源生成回路（１５）と、前記電源生成回路により生成された出力電圧を監視し、前記電源生成回路により生成された出力電圧が安定した電圧を保持するように前記電源生成回路の制御を行う電圧保持制御回路（１６）と、前記電源生成回路により生成された出力電圧を監視するための比較基準電圧を生成する電源供給部（１７）と、第２のバッテリで駆動され、前記電源生成回路により生成された出力電圧が目標電圧までに達する時間、あるいは複数の電源生成回路の出力電圧の生成開始順序及び出力電圧の生成開始のタイミングを制御する電源シーケンス制御回路（１８）と、動作信号を入力すると、前記電源供給部のオン及び前記電源シーケンス制御回路の動作開始を指示する動作指示回路（１９）とを有する電子機器が提供される。【選択図】図１
2008065690.tif 000002
【特許請求の範囲】
【請求項１】
第１のバッテリと、
前記第１のバッテリとは異なる第２のバッテリと、
前記第１のバッテリの電圧を変換する電源生成回路と、
前記電源生成回路により生成された出力電圧を監視し、前記電源生成回路により生成された出力電圧が安定した電圧を保持するように前記電源生成回路の制御を行う電圧保持制御回路と、
前記電源生成回路により生成された出力電圧を監視するための比較基準電圧を生成する電源供給部と、
前記第２のバッテリで駆動され、前記電源生成回路により生成された出力電圧が目標電圧までに達する時間、あるいは複数の電源生成回路の出力電圧の生成開始順序及び出力電圧の生成開始のタイミングを制御する電源シーケンス制御回路と、
動作信号を入力すると、前記電源供給部のオン及び前記電源シーケンス制御回路の動作開始を指示する動作指示回路とを有することを特徴とする電子機器。
【請求項２】
前記第２のバッテリは、前記第１のバッテリによって充電される充電池であることを特徴とする請求項１記載の電子機器。
【請求項３】
前記第１のバッテリの電圧を前記第２のバッテリの充電電圧に降圧するためのレギュレータを有することを特徴とする請求項１記載の電子機器。
【請求項４】
第１のバッテリと、
前記第１のバッテリとは異なる第２のバッテリと、
前記第１のバッテリの電圧を変換する電源生成回路と、
前記電源生成回路により生成された出力電圧を監視し、前記電源生成回路により生成された出力電圧が安定した電圧を保持するように前記電源生成回路の制御を行う電圧保持制御回路と、
前記電源生成回路により生成された出力電圧を監視するための比較基準電圧を生成する電源供給部と、
前記電源生成回路により生成された出力電圧が目標電圧までに達する時間、あるいは複数の電源生成回路の出力電圧の生成開始順序及び出力電圧の生成開始のタイミングを制御する電源シーケンス制御回路と、
前記電源シーケンス制御回路を前記第２のバッテリによって駆動するか、前記電源生成回路の出力電圧によって駆動するかを切り換えるシーケンス電源選択回路と、
動作信号を入力すると、前記電源供給部のオン及び前記電源シーケンス制御回路の動作開始を指示する動作指示回路とを有することを特徴とする電子機器。
【請求項５】
前記電源生成回路は前記第１のバッテリの電圧を変換して複数の出力電圧を生成するとともに、前記シーケンス電源選択回路は、前記電源シーケンス制御回路を前記第２のバッテリで駆動するか、前記電源生成回路にて生成される複数の出力電圧のいずれかで駆動するかを切り換えることを特徴とする請求項４記載の電子機器。
【請求項６】
前記シーケンス電源選択回路は、前記電源生成回路にて生成される複数の出力電圧のうち、最も低い出力電圧の電源を選択して供給することを特徴とする請求項５記載の電子機器。
【請求項７】
前記シーケンス電源選択回路は、前記電源生成回路にて生成される複数の出力電圧のうち、最も効率のよい電源を選択して供給することを特徴とする請求項５記載の電子機器。
【請求項８】
前記動作指示回路は、動作停止信号を入力すると、前記電源供給部のオフを指示することを特徴とする請求項１〜７のいずれか１項に記載の電子機器。
【発明の詳細な説明】
【技術分野】
【０００１】
本発明は、電子機器に関する。
【背景技術】
【０００２】
情報処理システムの各装置又は回路に電源を供給する電源ユニットは電源投入時の突入電流の大きいものがあって、定常運転時の電流の数倍以上に達するものがある。そのために、各電源ユニットは同時に電源投入せず、時間をずらして電源投入を行う方法がとられている。この電源投入を時系列に制御するのが、電源供給制御回路の主たる動作であるが、従来、この電源供給回路にはバッテリの接続と同時に電源供給され、常時通電状態にあるので電力（待機電力）消費があった。この待機電力消費を低減するため簡易な回路が要望されている。
【０００３】
特許文献１に記載の従来例を以下に説明する。従来例を示す電源供給回路を図５に示す。以下、構成を説明する。１００は該電子機器に電源を供給するバッテリである。１０１は該電子機器の内部時計に電源を供給する時計電池である。１０２は前記バッテリ１００のバッテリ電圧を前記時計電池１０１の充電電圧に降圧するためのレギュレータである。１０３は前記時計電池１０１から前記バッテリ１００への電流の逆流を防ぐ逆流防止ダイオードである。１０４は前記時計電池１０１を充電する際の電流制限抵抗である。１０５は前記バッテリ１００のバッテリ電圧を該電子機器で必要な所望の電圧に変換する電源生成回路である。１０６は後述の電源供給部に前記機器の電源１００の電源供給の開閉を行う電源開閉制御部である。１０７は後述の電源シーケンス回路１０８等の電源供給制御回路内部の電源や前記電源生成回路１０５をフィードバック制御する際の基準電源となる電源を生成する電源供給部である。１０８は前記電源生成回路１０５により生成された出力電圧が所望の電圧までに達する時間、あるいは出力電圧生成開始順序及び出力電圧生成を開始するタイミングを制御する電源シーケンス制御回路である。１０９は外部からの該電子機器の動作信号を受け、前記電源供給部１０７のオン・オフ及び前記電源シーケンス回路１０８の動作開始指示を与える動作指示回路である。
【０００４】
以下、動作を説明する。該電子機器に前記バッテリ１００が接続され待機状態にある時、前記動作指示回路１０９以外の構成各部には電源供給されておらず、前記動作指示回路１０９自体の構成部品による消費電力は少ない。このような電源供給制御回路の待機状態で前記動作指示回路１０９に電源投入信号が入力されると、前記動作指示回路１０９は前記電源開閉制御部１０６に電源供給信号を送出する。前記電源開閉制御部１０６はこの信号によって前記電源供給部１０７に前記機器の電源１００より供給される電源を供給する。この時点で前記電源供給部１０７は前記電源シーケンス回路１０８等の回路構成各部に電源を供給する。前記電源シーケンス１０８は電源供給を受けると、自動的に起動し、時系列的に前記電源生成回路１０５に起動を指示する起動信号を送出する。また、システム電源切断時には電源切断を指示する外部制御信号を前記動作指示回路１０９に入力し、電源切断信号を前記電源シーケンス回路１０８に送出する。そして、前記電源シーケンス回路１０８が前記電源生成回路１０５を切断終了後、電源切断信号を前記電源開閉制御部１０６へ送出することによって前記動作指示回路１０９以外の各部の電源が切断される。
【０００５】
【特許文献１】特開昭６２−１２５４２０号公報
【発明の開示】
【発明が解決しようとする課題】
【０００６】
しかし、従来の方式では、待機状態での消費電力は低減されるが動作状態にある時、前記電源開閉制御部１０６は常に導通状態にあるため余分に電力を消費する。さらに、前記電源シーケンス回路１０８の電源は前記電源供給部１０７により生成される電源固定であるため、前記電源シーケンス回路１０８の動作時において一定の電力を消費する。
【０００７】
本発明の目的は、待機時の消費電力を低減することができる電子機器を提供することである。
【課題を解決するための手段】
【０００８】
本発明の電子機器は、第１のバッテリと、前記第１のバッテリとは異なる第２のバッテリと、前記第１のバッテリの電圧を変換する電源生成回路と、前記電源生成回路により生成された出力電圧を監視し、前記電源生成回路により生成された出力電圧が安定した電圧を保持するように前記電源生成回路の制御を行う電圧保持制御回路と、前記電源生成回路により生成された出力電圧を監視するための比較基準電圧を生成する電源供給部と、前記第２のバッテリで駆動され、前記電源生成回路により生成された出力電圧が目標電圧までに達する時間、あるいは複数の電源生成回路の出力電圧の生成開始順序及び出力電圧の生成開始のタイミングを制御する電源シーケンス制御回路と、動作信号を入力すると、前記電源供給部のオン及び前記電源シーケンス制御回路の動作開始を指示する動作指示回路とを有することを特徴とする。
【発明の効果】
【０００９】
電源シーケンス制御回路の電力を第１のバッテリとは異なる第２のバッテリから供給することにより、待機電力を低減することができる。
【発明を実施するための最良の形態】
【００１０】
（第１の実施形態）
本発明の第１の実施形態を以下に説明する。図１は、本発明の第１の実施形態による電源供給制御回路の構成例を示すブロック図である。電源供給制御回路は、電子機器内に設けられる。以下、構成を説明する。１０は該電子機器に電力を供給するバッテリである。１１は該電子機器の内部時計に電力を供給する補助電池である。１２は前記バッテリ１０のバッテリ電圧を前記補助電池１１の充電電圧に降圧するためのレギュレータである。１３は前記補助電池１１から前記バッテリ１０への電流の逆流を防ぐ逆流防止ダイオードである。１４は前記補助電池１１を充電する際の電流制限抵抗である。１５は前記バッテリ１０のバッテリ電圧を該電子機器で必要な所望の電圧に変換する電源生成回路で電源１、電源２、電源３により構成されている。４０は前記電源生成回路１５のスイッチング周波数数を決める三角波発振器である。１６は前記電源１、前記電源２、前記電源３により生成された出力電圧をそれぞれ監視し、出力電圧が安定した電圧を保持するように前記電源生成回路１５の制御を行う電圧保持制御回路である。電圧保持制御回路１６は、前記電源１を制御するエラーアンプ２０、ＰＷＭコンパーレータ２１、Ｎｃｈドライバ２２を有する。さらに、電圧保持制御回路１６は、前記電源２を制御するエラーアンプ２３、ＰＷＭコンパーレータ２４、Ｎｃｈドライバ２５を有する。さらに、電圧保持制御回路１６は、前記電源３を制御するエラーアンプ２６、ＰＷＭコンパーレータ２７、Ｎｃｈドライバ２８を有する。２９、３０、３１、３２、３３、３４は前記電源１、前記電源２、前記電源３により生成された出力電圧を前記エラーアンプ２０、２３、２６に帰還するための分割抵抗である。１７は前記電源１、前記電源２、前記電源３により生成された出力電圧を監視するための比較基準電圧Ｖrefを生成する電源供給部である。１８は前記電源１、前記電源２、前記電源３により生成された出力電圧が所望の電圧までに達する時間、あるいは複数の電源生成回路１５により生成された出力電圧の生成開始順序及び出力電圧の生成開始のタイミングを制御する電源シーケンス制御回路である。３５は前記電源１、前記電源２、前記電源３により生成された出力電圧が所望の電圧までに達する時間を決めるソフトスタートコンデンサである。３６は前記ソフトスタートコンデンサ３５への充電電流を切り換えるソフトスタート時間切り換えスイッチである。１９は外部からの該電子機器の動作信号を入力すると、前記電源供給部１７のオン及び前記電源シーケンス回路１８の動作開始を指示する動作指示回路である。前記電源シーケンス制御回路１８の電源は、前記補助電池１１により供給されている。
【００１１】
補助電池１１は、電子機器の内部時計に電力を供給する時計電池や電子機器内部のメモリに電力を供給するコイン電池等に代表されるバッテリ１０とは異なる電子機器に内在された補助的な電池である。
【００１２】
本発明の第１の実施形態の動作例を示すタイミングチャートを図２に示す。以下、動作を説明する。該電子機器に前記バッテリ１０が接続され待機状態にある時（図２中、期間ｔ０〜ｔ１）、前記動作指示回路１９は前記電源供給部１７をオフ制御し、前記電源シーケンス制御回路１８への動作指示を与えていない。そのため、前記電源供給部１７及び前記電源シーケンス制御回路１８は電力を消費しない。
【００１３】
外部から該電子機器の動作信号を受ける（図２中、ｔ１）と前記動作指示回路１９は前記電源供給部１７をオン制御し前記電源供給部１７は比較基準電圧Ｖrefを生成し出力する。前記比較基準電圧Ｖrefが出力されると前記三角波発振器４０は前記電源生成回路１５のスイッチング周波数を決める三角波を生成し出力する。それと同時に前記動作指示回路１９は前記電源シーケンス制御回路１８への動作開始指示を与える。動作開始指示を受けた前記電源シーケンス制御回路１８は前記ソフトスタート時間切り換えスイッチ３６をオンし、前記ソフトスタートコンデンサ３５に所望の充電電流Ｉ１で充電を開始する（図２中、ｔ１）。前記エラーアンプ２０は前記ソフトスタートコンデンサ３５の電圧と前記電源１により生成される出力電圧Ｖ１の前記分割抵抗２９及び前記分割抵抗３０による分圧値とを比較増幅する。そして、これと前記三角波発振器４０により生成された三角波とをＰＷＭコンパーレータ２１で比較しＰＷＭ変換した後、前記Ｎｃｈドライバ２２を駆動する。そして、前記電源１が所望の時間Ｔ１で出力電圧が所望の電圧Ｖ１までに達するように前記電圧保持制御回路１６の制御を行う（図２中、期間ｔ１〜ｔ２）。前記電源１の出力電圧が所望の電圧Ｖ１に達する時間は前記ソフトスタートコンデンサ３５の電圧が前記比較基準電源Ｖrefに達するまでの時間で制御されている。前記電源１により生成された電圧が所望の電圧Ｖ１まで達した後も、前記電圧保持制御回路１６は前記電源１により生成された出力電圧Ｖ１を監視する。そして、前記電源供給部１７で生成された比較基準電圧Ｖrefと比較することにより出力電圧が安定した電圧を保持するように制御を行う（図２中、期間ｔ２〜）。
【００１４】
前記電源１が所望の電圧Ｖ１まで達すると、前記電源シーケンス制御回路１８は前記ソフトスタートコンデンサ３５に蓄えられた電荷を放電する。そして、前記ソフトスタート時間切り換えスイッチ３６を切り換え、前記ソフトスタートコンデンサ３５に所望の充電電流Ｉ２で充電を開始する（図２中、ｔ２）。その後の動作は前記電源１の時と同様に制御し、前記電源２が所望の時間Ｔ２で出力電圧が所望の電圧Ｖ２までに達するように前記電圧保持制御回路１６の制御を行う（図２中、期間ｔ２〜ｔ３）。また、前記電源２により生成された電圧が所望の電圧Ｖ２まで達した後の動作も前記電源１の時と同様である（図２中、期間ｔ３〜）。
【００１５】
以下、同様に制御し、前記電源３により生成された出力電圧が所望の電圧Ｖ３に達すると該電子機器が動作可能な状態となる（図２中、期間ｔ４〜）。
【００１６】
なお、本実施形態において前記電源生成回路１５は３つの電源により構成されているが前記は一例でありこれに限定されない。また、前記電源の出力電圧が所望の電圧に達するまでの時間、あるいは出力電圧生成開始順序及び出力電圧生成を開始するタイミングも一例でありこれに限定されない。
【００１７】
以上により、前記電源シーケンス制御回路１８の電源を前記補助電池１１から供給することにより、該電子機器が待機状態にある時、前記電源供給部１７の動作を停止することが可能となり、待機電力を低減することができる。
【００１８】
本実施形態では前記電源シーケンス制御回路１８の電源を前記補助電池１１により供給したが、前記電源シーケンス制御回路１８の電源を前記レギュレータ１２の出力に接続しても同様の効果が得られ、動作原理は前記同様であるため説明は省略する。
【００１９】
（第２の実施形態）
本発明の第２の実施形態を以下に説明する。図３は、本発明の第２の実施形態による電源供給制御回路の構成例を示すブロック図である。以下、構成を説明する。５０は該電子機器に電力を供給するバッテリである。５１は該電子機器の内部時計に電力を供給する補助電池である。５２は前記バッテリ５０のバッテリ電圧を前記補助電池５１の充電電圧に降圧するためのレギュレータである。５３は前記補助電池５１から前記バッテリ５０への電流の逆流を防ぐ逆流防止ダイオードである。５４は前記補助電池５１を充電する際の電流制限抵抗である。５５は前記バッテリ５０のバッテリ電圧を該電子機器で必要な所望の電圧に変換する電源生成回路で電源１１、電源１２、電源１３、により構成されている。４０は前記電源生成回路５５のスイッチング周波数数を決める三角波発振器である。５６は前記電源１１、前記電源１２、前記電源１３により生成された出力電圧をそれぞれ監視し、出力電圧が安定した電圧を保持するように前記電源生成回路５５の制御を行う電圧保持制御回路である。電圧保持制御回路５６は、前記電源１１を制御するエラーアンプ７０、ＰＷＭコンパーレータ７１、Ｎｃｈドライバ７２を有する。さらに、電圧保持制御回路５６は、前記電源１２を制御するエラーアンプ７３、ＰＷＭコンパーレータ７４、Ｎｃｈドライバ７５を有する。さらに、電圧保持制御回路５６は、前記電源１３を制御するエラーアンプ７６、ＰＷＭコンパーレータ７７、Ｎｃｈドライバ７８を有する。７９、８０、８１、８２、８３、８４は前記電源１１、前記電源１２、前記電源１３により生成された出力電圧を前記エラーアンプ７０、７３、７６に帰還するための分割抵抗である。５７は前記電源１１、前記電源１２、前記電源１３により生成された出力電圧を監視するための比較基準電圧Ｖrefを生成する電源供給部である。５８は前記電源１１、前記電源１２、前記電源１３により生成された出力電圧が所望の電圧までに達する時間、あるいは出力電圧生成開始順序及び出力電圧生成を開始するタイミングを制御する電源シーケンス制御回路である。８５は前記電源１１、前記電源１２、前記電源１３により生成された出力電圧が所望の電圧までに達する時間を決めるソフトスタートコンデンサである。８６は前記ソフトスタートコンデンサ８５への充電電流を切り換えるソフトスタート時間切り換えスイッチである。５９は外部からの該電子機器の動作信号を受け、前記電源供給部５７のオン・オフ及び前記電源シーケンス回路５８の動作開始指示を与える動作指示回路である。６０は前記電源シーケンス回路５８へ供給する電源を選択するシーケンス回路電源選択回路である。前記シーケンス回路電源選択回路６０は前記補助電池１１、前記電源供給部５７及び前記電源１１、前記電源１２、前記電源１３により生成された出力電圧に接続されている。
【００２０】
本発明の第２の実施形態の動作例を示すタイミングチャートを図４に示す。以下、動作を説明する。該電子機器に前記バッテリ５０が接続され待機状態にある時（図４中、期間ｔ１０〜ｔ１１）、前記シーケンス回路電源選択回路６０は前記時計電池５１を前記電源シーケンス回路５８の電源として選択し、供給している。動作指示回路５９は前記電源供給部５７をオフ制御し、前記電源シーケンス制御回路５８への動作指示を与えていないため前記電源供給部５７及び前記電源シーケンス制御回路５８は電力を消費しない。
【００２１】
外部から該電子機器の動作信号を受ける（図４中、ｔ１１）と前記動作指示回路５９は前記電源供給部５７をオン制御し前記電源供給部５７は比較基準電圧Ｖrefを生成し出力する。前記比較基準電圧Ｖrefが出力されると前記三角波発振器４０は前記電源生成回路５５のスイッチング周波数を決める三角波を生成し出力する。それと同時に前記動作指示回路５９は前記電源シーケンス制御回路５８への動作開始指示を与え、動作開始指示を受けた前記電源シーケンス制御回路５８は前記ソフトスタートコンデンサ８５に所望の充電電流Ｉ１１で充電を開始する（図４中、ｔ１１）。前記エラーアンプ７０は前記ソフトスタートコンデンサ８５の電圧と前記電源１１により生成される出力電圧Ｖ１１の前記分割抵抗７９及び前記分割抵抗８０による分圧値とを比較増幅する。そして、これと前記三角波発振器４０により生成された三角波とをＰＷＭコンパーレータ７１で比較しＰＷＭ変換した後、前記Ｎｃｈドライバ７２を駆動する。そして、前記電源１１が所望の時間Ｔ１１で出力電圧が所望の電圧Ｖ１１までに達するように前記電圧保持制御回路５６の制御を行う（図４中、期間ｔ１１〜ｔ１２）。前記電源１１の出力電圧が所望の電圧Ｖ１１に達する時間は前記ソフトスタートコンデンサ８５の電圧が前記比較基準電源Ｖrefに達するまでの時間で制御されている。前記電源１１により生成された電圧が所望の電圧Ｖ１１まで達した後も、前記電圧保持制御回路５６は前記電源１１により生成された出力電圧Ｖ１１を監視する。そして、前記電源供給部５７で生成された比較基準電圧Ｖrefと比較することにより出力電圧が安定した電圧を保持するように制御を行う（図４中、期間ｔ１２〜ｔ１７）。
【００２２】
前記電源１１が所望の電圧まで達すると、前記シーケンス回路電源選択回路６０は前記電源１１により生成された電圧を前記電源シーケンス回路５８の電源として選択供給する。
【００２３】
ここで今回は前記電源１１が所望の電圧に達した際に前記電源１１により生成された出力電圧を前記電源シーケンス回路５８の電源として選択したが、これに限定されない。前記電源１１により生成された出力電圧が前記補助電池５１の電圧より高い場合や、効率が低い場合においては前記補助電池５１を前記電源シーケンス回路５８の電源として選択しても良い。
【００２４】
前記電源シーケンス制御回路５８は前記電源１１により生成された出力電圧Ｖ１１を電源とし、前記ソフトスタートコンデンサ８５に蓄えられた電荷を放電する。そして、前記ソフトスタート時間切り換えスイッチ８６を切り換え、前記ソフトスタートコンデンサ８５に所望の充電電流Ｉ１２で充電を開始する（図４中、ｔ１２）。その後の動作は前記電源１１の時と同様に制御し、前記電源１２が所望の時間Ｔ１２で出力電圧が所望の電圧Ｖ１２までに達するように前記電圧保持制御回路５６の制御を行う（図４中、期間ｔ１２〜ｔ１３）。また、前記電源１２により生成された電圧が所望の電圧Ｖ１２まで達した後の動作も前記電源１１の時と同様である（図４中、期間ｔ１３〜ｔ１４）。
【００２５】
以下、同様に制御し、前記電源１３により生成された出力電圧が所望の電圧Ｖ１３に達すると該電子機器が動作可能な状態となる（図４中、期間ｔ１４〜ｔ１５）。
【００２６】
外部から該電子機器の動作停止信号を受けると前記動作指示回路５９は前記電源シーケンス制御回路５８への動作停止指示を与える（図４中、ｔ１５）。動作停止指示を受けた前記電源シーケンス制御回路５８は前記電源１３が所望の時間Ｔ１３で出力電圧がグランドレベルまで立ち下がるように前記電圧保持制御回路５６の制御を行う（図４中、期間ｔ１５〜ｔ１６）。同様に前記電源１２の出力電圧Ｖ１２をグランドレベルまで立ち下げると（図４中、期間ｔ１６〜ｔ１７）、前記シーケンス回路電源選択回路６０は前記補助電池５１を前記電源シーケンス回路５８の電源として選択供給する（図４中、ｔ１７）。前記電源シーケンス回路５８は前記電源１１が所望の時間Ｔ１１で出力電圧Ｖ１１がグランドレベルまで立ち下がるように前記電圧保持制御回路５６の制御を行い（図４中、期間ｔ１７〜ｔ１８）該電子機器の動作を停止する。
【００２７】
前記動作指示回路は、動作停止信号を入力すると、期間ｔ１５〜ｔ１８の動作を行い、電源供給部５７のオフを指示する。その後、電源供給部５７はオフし、比較基準電圧Ｖrefの生成及び出力を停止する。
【００２８】
なお、本実施形態において前記電源生成回路５５は３つの電源により構成されているが前記は一例でありこれに限定されない。また、前記電源の出力電圧が所望の電圧に達するまでの時間、あるいは出力電圧生成開始順序及び出力電圧生成を開始するタイミングも一例でありこれに限定されない。
【００２９】
以上により、前記電源シーケンス制御回路５８の電源を前記補助電池５１から供給することにより、該電子機器が待機状態にある時、前記電源供給部５７の動作を停止することが可能となり、待機電力を低減することができる。また、前記電源シーケンス制御回路５８の電源を切り替えることにより、前記電源シーケンス制御回路５８の動作時における消費電流を低減することを可能とする。
【００３０】
本実施形態では前記電源シーケンス制御回路５８の電源を前記補助電池５１により供給したが、前記電源シーケンス制御回路５８の電源を前記レギュレータ５２の出力に接続しても同様の効果が得られ、動作原理は前記同様であるため説明は省略する。
【００３１】
シーケンス回路電源選択回路６０は、電源シーケンス制御回路５８の電源として、補助電池５１、レギュレータ５２の出力電圧、及び電源生成回路５５により生成された出力電圧のうちのいずれかを選択的に切り換えて供給する。
【００３２】
また、シーケンス回路電源選択回路６０は、前記選択を行う際に生成されている電源の内、電圧が最も低い電源を選択して供給する。また、シーケンス回路電源選択回路６０は、前記選択を行う際に生成されている電源の内、最も効率の良い電源を選択して供給する。効率は電源１１、電源１２、電源１３の入力電流および負荷電流をモニタリングすることにより算出する。
【００３３】
第１及び第２の実施形態によれば、電源シーケンス制御回路の電源は、バッテリとは異なる別電源であり、バッテリよりも低い電圧である。電源シーケンス制御回路の電源を電源の電源供給部（基準電圧部）とは異なる別電源（低電圧）から供給する事により、待機電流の低減を可能とする。また、電源シーケンス制御回路の電源を切り替えることにより、電源シーケンス制御回路動作時での消費電流を低減することを可能とする。
【００３４】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【図面の簡単な説明】
【００３５】
【図１】本発明の第１の実施形態による電源供給制御回路の構成例を示すブロック図である。
【図２】本発明の第１の実施形態の動作例を示すフローチャートである。
【図３】本発明の第２の実施形態による電源供給制御回路の構成例を示すブロック図である。
【図４】本発明第２の実施形態の動作例を示すフローチャートである。
【図５】従来例を示すブロック図である。
【符号の説明】
【００３６】
１０、５０、１００  バッテリ
１１、５１、１０１  補助電池
１２、５２、１０２  レギュレータ
１３、５３、１０３  逆流防止ダイオード
１４、５４、１０４  電流制限抵抗
１５、５５、１０５  電源生成回路
１６、５６  電圧保持制御回路
１７、５７、１０７  電源供給部
１８、５８、１０８  電源シーケンス制御回路
１９、５９、１０９  動作指示回路
１０６  電源開閉制御部
４０  三角波発振器
２０、２３、２６、７０、７３、７６  エラーアンプ
２１、２４、２７、７１、７４、７７  ＰＷＭコンパーレータ
２２、２５、２８、７２、７５、７８  Ｎｃｈドライバ
２９、３０、３１、３２、３３、３４、７９、８０、８１、８２、８３、８４  分割抵抗
３５、８５  ソフトスタートコンデンサ
３６、８６  ソフトスタート時間切り換えスイッチ
６０  シーケンス回路電源選択回路
【図１】
2008065690.tif 000003
【図２】
2008065690.tif 000004
【図３】
2008065690.tif 000005
【図４】
2008065690.tif 000006
【図５】
2008065690.tif 000007